(57)【要約】【課題】取り付け部品を本体から取り外し易く、安全性を向上させた保持構造を設けた換気扇を提供することを目的としている。【解決手段】吸込口となる開口部を有した風洞および開口部の口縁部から外側に張出し、自由端部が背面に向かって延出する縁枠部を有するフランジを備えた本体と、羽根車および電動機を有し、電動機が風洞に取り付けられた送風機と、を有する換気扇において、フランジの背面側の縁枠部の一部の外側に、換気扇の取り付けに供される取り付け部品を着脱自在に保持する保持構造を設け、保持構造は、フランジに対して垂直方向の長さが取り付け部品の頭部以外の部分の直径よりも長く構成され、フランジの外周方向に向けた取り付け部品の頭部を保持構造の外側に位置させ、頭部以外の部分を保持構造内に位置させたものである。【選択図】図３
2014006021.tif 000002
【特許請求の範囲】
【請求項１】
吸込口となる開口部を有した風洞および前記開口部の口縁部から外側に張出し、自由端部が背面に向かって延出する縁枠部を有するフランジを備えた本体と、
羽根車および電動機を有し、前記電動機が前記風洞に取り付けられた送風機と、
を有する換気扇において、
前記フランジの背面側の前記縁枠部の一部の外側に、前記換気扇の取り付けに供される取り付け部品を着脱自在に保持する保持構造を設け、
前記保持構造は、
前記フランジに対して垂直方向の長さが前記取り付け部品の頭部以外の部分の直径よりも長く構成され、
前記フランジの外周方向に向けた前記取り付け部品の頭部を前記保持構造の外側に位置させ、頭部以外の部分を前記保持構造内に位置させる
ことを特徴とする換気扇。
【請求項２】
前記保持構造は、
前記フランジの背面から背面側に突出した突起部と第１リブを有し、前記取り付け部品を前記突起部と前記第１リブで挟み込むことで保持し、前記取り付け部品が前記フランジに対して垂直方向に動くことを抑制する
ことを特徴とする請求項１に記載の換気扇。
【請求項３】
前記保持構造は、
第２リブと、前記取り付け部品の先端側に位置をずらした第３リブを有し、前記取り付け部品を前記第２リブと第３リブで挟むことで保持し、前記取り付け部品が前記フランジの外周方向に外れる動きを抑制する
ことを特徴とする請求項１または２に記載の換気扇。
【請求項４】
前記保持構造は、
前記フランジの前記縁枠部の一部を前記フランジの外周側から内側に向けて折り曲げた部分で取り囲まれるように形成されている
ことを特徴とする請求項１〜３のいずれか一項に記載の換気扇。
【請求項５】
前記保持構造が前記フランジの背面の四隅部に位置している場合は、
前記保持構造は、  
前記フランジの前記縁枠部の一部を折り曲げた部分の外側と前記フランジの前記縁枠部の一部を延設した部分とで取り囲まれるように形成されている
ことを特徴とする請求項１〜３のいずれか一項に記載の換気扇。
【請求項６】
前記保持構造は、
前記フランジの外周方向に向けた前記取り付け部品の頭部を前記フランジの外周と同じ位置、あるいは前記フランジの外周よりも内側に位置させる
ことを特徴とする請求項４または５に記載の換気扇。
【請求項７】
前記保持構造は、
前記フランジの外周方向に向けた前記取り付け部品の頭部を前記フランジの外周よりも外側に位置させる
ことを特徴とする請求項４または５に記載の換気扇。
【発明の詳細な説明】
【技術分野】
【０００１】
本発明は、換気扇の取り付けに供される取り付け部品を具備した状態で梱包される換気扇に関するものである。
【背景技術】
【０００２】
電動機を風洞に取り付けた本体の前面に、吸込口となる開口部を有し半径方向に広がるフランジを備え、フランジは自由端側が後方に向かって延出する縁枠部によって背面が凹状に形成されている換気扇が一般に存在している。換気扇には本体を、建物に設けた取り付け構造に木ねじ等の取り付け部品を使って取り付けるものや、ダクトやパイプに本体を差し込み、本体に備えられた板バネのバネ力により取り付けるものなどがある。取り付け部品により取り付けることができる換気扇では、取り付け部品は付属品として換気扇に同梱されていることが多い。
【０００３】
従来の換気扇では取り付け部品は小部品であることから、散逸を防ぐためフランジの背面などにテープ等で直接貼り付けて固定したり、フランジの背面に着脱自在に保持する保持構造を構成したりしている（例えば特許文献１参照）。保持構造は取り付け部品を縁枠部内に収まるように、フランジの背面との間に隙間ができる斜めの状態に、取り付け部品の基部を宛がう枕部と、保持部によって装着でき、取り付け部品の先端部を囲うガード部を備えている。
【先行技術文献】
【特許文献】
【０００４】
【特許文献１】特許第３７８８１９５号公報（例えば２ページ参照）
【発明の概要】
【発明が解決しようとする課題】
【０００５】
上記の換気扇においては、取り付け部品、例えば木ねじを本体から取り外す際は、木ねじの頭に指を掛けて取り外すこととなる。しかし、木ねじはフランジの背面に近接した状態で本体に保持されているため、木ねじを取り外す際に指を掛ける隙間が少ない。そのため、木ねじを取り外すのが困難であった。また、木ねじの先端部を囲んで保護するガード部はあるが、ねじ部を囲んで保護するものはないため、安全性を損ねてしまうという可能性がある。
【０００６】
本発明は、以上のような課題を解決するためになされたもので、取り付け部品を本体から取り外し易く、安全性を向上させた保持構造を設けた換気扇を提供することを目的としている。
【課題を解決するための手段】
【０００７】
本発明に係る換気扇は、吸込口となる開口部を有した風洞および開口部の口縁部から外側に張出し、自由端部が背面に向かって延出する縁枠部を有するフランジを備えた本体と、羽根車および電動機を有し、電動機が風洞に取り付けられた送風機と、を有する換気扇において、フランジの背面側の縁枠部の一部の外側に、換気扇の取り付けに供される取り付け部品を着脱自在に保持する保持構造を設け、保持構造は、フランジに対して垂直方向の長さが取り付け部品の頭部以外の部分の直径よりも長く構成され、フランジの外周方向に向けた取り付け部品の頭部を保持構造の外側に位置させ、頭部以外の部分を保持構造内に位置させたものである。
【発明の効果】
【０００８】
本発明は上記構成を採用することにより、取り付け部品、例えば木ねじの頭のみを保持構造の外側に位置させることができる。よって、木ねじの頭に指を掛ける際に本体の一部が指に干渉せず、容易に木ねじを本体から取り外すことができる。また、木ねじの頭が保持構造の外側に出ているため、電動ドライバー等で容易に木ねじを本体から取り外すことができる。また、保持構造は、フランジに対して垂直方向の長さが木ねじの頭以外の部分の直径よりも長く構成されているため、木ねじの頭以外の部分を凹状に囲んで保護することができ、従来の換気扇よりも安全性が向上する。
【図面の簡単な説明】
【０００９】
【図１】本発明の実施の形態に係る換気扇の取り付け状態を示した断面図である。
【図２】本発明の実施の形態に係る換気扇の背面図である。
【図３】本発明の実施の形態に係る換気扇の斜視図である。
【図４】本発明の実施の形態に係る換気扇の木ねじ保持構造部の斜視図である。
【図５】本発明の実施の形態に係る換気扇の木ねじ保持構造部の正面図である。
【図６】本発明の実施の形態に係る換気扇の木ねじ保持構造部の断面図である。
【図７】本発明の実施の形態に係る換気扇の木ねじ保持構造部のねじ取り付け状態での断面図である。
【図８】本発明の実施の形態に係る木ねじの手による外し方を示す斜視図である。
【図９】本発明の実施の形態に係る木ねじのドライバーによる外し方を示す斜視図である。
【図１０】本発明の実施の形態に係る換気扇のグリル取り付け状態の一例を示す斜視図である。
【図１１】本発明の実施の形態に係る換気扇のグリル取り付け状態の一例を示す斜視図である。
【発明を実施するための形態】
【００１０】
実施の形態．
図１は、本発明の実施の形態に係る換気扇の取り付け状態を示した断面図、図２は、本発明の実施の形態に係る換気扇の背面図、図３は、本発明の実施の形態に係る換気扇の斜視図である。
本発明の実施の形態に係る換気扇は、風洞を構成し、前面に吸込口となる開口部４を有し、開口部４から半径方向に広がるフランジ５を備えた本体１と、羽根車２および電動機３を有し、電動機３が風洞に取り付けられた送風機とを主体として構成されている。当該換気扇では、本体１の取り付けは建物に設けられたダクト配管３１に本体１を差し込んで、板バネ３３の拡開弾力により木ねじ１０を使わずに行うこともあるが、本体１の各長孔８を通して木ねじ１０で木枠３２に固定して行うのが一般的である。また、前面はグリル３４で覆われている。フランジ５は、自由端側が後方に向かって延出する縁枠部７によって背面が凹状に形成されている。縁枠部７には図２に示すように長孔８を有する取り付け構造９が対向位置に二つ設けられ、その各長孔８はフランジ５の前面に形成された取り付け孔（図示省略）に繋がっている。なお、保持構造１１については後段で詳述する。
【００１１】
図４は、本発明の実施の形態に係る換気扇の木ねじ保持構造部の斜視図、図５は、本発明の実施の形態に係る換気扇の木ねじ保持構造部の正面図、図６は、本発明の実施の形態に係る換気扇の木ねじ保持構造部の断面図、図７は、本発明の実施の形態に係る換気扇の木ねじ保持構造部のねじ取り付け状態での断面図である。
フランジ５の背面側の縁枠部７の一部の外側には、当該換気扇の取り付けに供される木ねじ１０を着脱自在に保持する保持構造１１が構成されている。保持構造１１は、縁枠部７の一部をフランジ５の外周側から内側に向けて折り曲げた部分で取り囲まれるように形成されており、保持構造１１が四隅部に位置している場合には、縁枠部７の一部を折り曲げた部分の外側と縁枠部７の一部を延設した部分である延設リブ７ａとで取り囲まれるように形成されている。保持構造１１は、縁枠部７の一部、突起部１１ａ、第１リブ１１ｂ、第２リブ１１ｃ、第３リブ１１ｄ、突起部の頭１１ｅ、および第４リブ１１ｆ（保持構造１１が四隅部に位置している場合には、さらに延設リブ７ａ）から構成されている。
保持構造１１は、突起部の頭１１ｅを有する突起部１１ａと第１リブ１１ｂで木ねじ１０の略中央を挟み込むことにより、木ねじ１０のフランジ５に対して垂直な動きを抑制している。また、第２リブ１１ｃとそこから木ねじ１０の略先端側に位置をずらした第３リブ１１ｄとで略中央を抑えることにより、木ねじ１０がフランジ５の外周方向に外れる動きを抑制している。また、縁枠部７の一部、突起部１１ａおよび第４リブ１１ｆ（保持構造１１が四隅部に位置している場合には、さらに延設リブ７ａ）のフランジ５に対して垂直方向の長さを、木ねじ１０の先端を含めた頭１０ａ以外の部分であるねじ部の直径よりも長く構成することで、ねじ部を凹状に囲っている。
そのため、ねじ部に作業者等が不用意に触れてしまうことがなく、保持構造１１を風路から隔離できるので、突起部１１ａを構成する場合に金型製作が高価になるスライド構造ではなくフランジ５の前面に穴を開けた構造にしても、壁内へ埃や湿気が侵入するという懸念が解消される。
【００１２】
図８は、本発明の実施の形態に係る木ねじの手による外し方を示す斜視図、図９は、本発明の実施の形態に係る木ねじのドライバーによる外し方を示す斜視図である。
木ねじ１０を本体から取り外す場合において、従来は保持構造が縁枠部内に収まっている構造であり、縁枠部のフランジ５に対して垂直方向の長さがあまりないために、木ねじ１０のねじ部の基部を宛がう枕部を同方向に長くできない。そのため、木ねじ１０の頭１０ａとフランジ５の背面との隙間が少なく指を入れるのが困難となり、外し難かった。それに対し、本構造では木ねじ１０の頭１０ａをフランジ５の外周方向に向け、保持構造１１よりも外側に位置させることで、フランジ５の背面が木ねじ１０の頭１０ａに干渉せず、木ねじ１０の頭１０ａに指をしっかりと掛けることができる。よって、指を木ねじ１０の頭１０ａに掛け、フランジ５の正面から背面に向かう方向１２ａに力を加えることにより、突起部１１ｂが変形し突起部の頭１１ｅから木ねじ１０が外れ、木ねじ１０を本体１から外すことができる。
【００１３】
また、本構造では木ねじ１０の頭１０ａの穴１０ｃを保持構造１１よりも外側に位置させることで、穴１０ｃにドライバーを差し込むことができ、ドライバーで木ねじ１０を回しながら縁枠部７の外側の方向１２ｂに引っ張ることで、保持構造１１の第２リブ１１ｃと第３リブ１１ｄの抑制を外し、本体１から木ねじ１０を容易に取り外すことができる。
【００１４】
本構造では本体１をダクト配管３１に差し込んだ後にドライバーで木ねじ１０を本体１から取り外し、ドライバーに木ねじ１０を付けたまま、本体１の各長孔８を通して木ねじ１０で木枠３２に固定することができる。よって、事前に手で木ねじ１０を持つよりも容易に施工することができる。また、木ねじ１０をあらかじめ取り外しておくことによって、他のねじと混在してしまうという懸念が解消される。
【００１５】
図１０は、本発明の実施の形態に係る換気扇のグリル取り付け状態の一例を示す斜視図である。
保持構造１１において、図１０のようにフランジ５の外周方向に向けた木ねじ１０の頭部１０ａを、フランジ５の外周と同じ位置あるいは外周よりも内側に位置させることで、グリル３４を取り付けた状態で木ねじ１０を取り付けることが可能である。これにより、本体１にグリル３４を取り付けた状態で一体に梱包することができ、包装の簡易化や小形化が可能である。また換気扇を梱包箱から取り出す際に、木ねじ１０の頭１０ａがグリル３４で覆われているので、木ねじ１０に触れることなく取り出せ、更なる安全を確保できる。
【００１６】
図１１は、本発明の実施の形態に係る換気扇のグリル取り付け状態の一例を示す斜視図である。
保持構造１１において、図１１のようにフランジ５の外周方向に向けた木ねじ１０の頭部１０ａを、フランジ５の外周よりも外側に位置させることで、木ねじ１０を外さないとグリル３４を取り付けることができない。これにより、施工の際は必ず木ねじ１０を外すことになるため、木ねじ１０の使用忘れ等を防止することができる。
【符号の説明】
【００１７】
１  本体、２  羽根車、３  電動機、４  開口部、５  フランジ、７  縁枠部、７ａ  延設リブ、８  長孔、９  取り付け構造、１０  木ねじ、１０ａ  頭、１０ｂ  ねじ先端、１０ｃ  穴、１１  保持構造、１１ａ  突起部、１１ｂ  第１リブ、１１ｃ  第２リブ、１１ｄ  第３リブ、１１ｅ  突起部の頭、１１ｆ  第４リブ、１２ａ  木ねじ外し方向ａ（フランジ５の正面から背面に向かう方向）、１２ｂ  木ねじ外し方向ｂ（縁枠部７の外側の方向）、１６  隙間、３１  ダクト配管、３２  木枠、３３  板バネ、３４  グリル。
【図１】
2014006021.tif 000003
【図２】
2014006021.tif 000004
【図３】
2014006021.tif 000005
【図４】
2014006021.tif 000006
【図５】
2014006021.tif 000007
【図６】
2014006021.tif 000008
【図７】
2014006021.tif 000009
【図８】
2014006021.tif 000010
【図９】
2014006021.tif 000011
【図１０】
2014006021.tif 000012
【図１１】
2014006021.tif 000013